(57)【特許請求の範囲】
【請求項１】
自装置からネットワークを介して印刷ジョブを実行指示した画像形成装置を検索対象として選択する検索対象選択部と、
設置場所に設置されている前記画像形成装置を撮像する撮像部と、
前記撮像している画像形成装置を特定するための第１の特定情報、及び前記検索対象の画像形成装置を特定するための第２の特定情報を取得する特定情報取得部と、
前記取得した前記第１の特定情報及び前記第２の特定情報に基づき、前記撮像している画像形成装置が前記検索対象であるか否かを判断する対象判断部と、
前記対象判断部による判断の結果を前記撮像している画像形成装置と共に画面上に表示する表示処理部と、
を備えることを特徴とする携帯端末。
【請求項２】
請求項１記載の携帯端末であって、
前記特定情報取得部は、前記第１の特定情報として自端末の位置情報及び方向情報に基づく前記撮像している画像形成装置の位置情報を取得し、前記第２の特定情報として前記検索対象の画像形成装置の前記ネットワーク上の装置識別情報に関連付けられている位置情報を取得し、
前記対象判断部は、前記取得した画像形成装置の位置情報から前記検索対象であるか否かを判断する、
ことを特徴とする携帯端末。
【請求項３】
請求項２記載の携帯端末であって、
前記対象判断部は、前記取得した位置情報から前記検索対象の画像形成装置が前記撮像部の撮像可能範囲内にあるかを判断し、
前記表示処理部は、前記検索対象の画像形成装置が前記撮像可能範囲内にない場合に、前記検索対象の画像形成装置が前記撮像可能範囲内に存在しないことを示す不存在情報を前記画面上に表示する、
ことを特徴とする携帯端末。
【請求項４】
請求項３記載の携帯端末であって、
前記検索対象の画像形成装置が前記撮像可能範囲内にない場合に、前記検索対象の画像形成装置の設置先情報を取得する設置先情報取得部を備え、
前記表示処理部は、前記取得した設置先情報を前記画面上に表示可能とする、
ことを特徴とする携帯端末。
【請求項５】
請求項１〜４の何れか一項に記載の携帯端末であって、
前記撮像している画像形成装置が前記検索対象である場合に、前記ネットワーク上の装置識別情報に基づいて前記検索対象の画像形成装置から排紙部上の印刷物の有無を示す排紙情報を取得する装置情報取得部を備え、
前記表示処理部は、前記判断の結果と共に前記排紙情報を前記画面上に表示する、
ことを特徴とする携帯端末。
【請求項６】
請求項５記載の携帯端末であって、
前記装置情報取得部は、前記排紙情報と共に前記実行指示に基づく印刷に対する前後の印刷を実行指示したユーザーを示す前後ユーザー情報を取得し、
前記表示処理部は、前記前後ユーザー情報を前記画面上に表示可能とする、
ことを特徴とする携帯端末。
【請求項７】
請求項１〜６の何れか一項に記載の携帯端末を備えた機器管理システムであって、
複数の画像形成装置の設置場所を示す位置情報及びネットワーク上の装置識別情報を管理し、前記位置情報及び装置識別情報を前記携帯端末に送信可能なサーバーを備える、
ことを特徴とする機器管理システム。
【請求項８】
自装置からネットワークを介して印刷ジョブを実行指示した画像形成装置を検索対象として選択する検索対象選択機能と、
設置場所に設置されている前記画像形成装置を撮像する撮像機能と、
前記撮像している画像形成装置を特定するための第１の特定情報、及び前記検索対象の画像形成装置を特定するための第２の特定情報を取得する特定情報取得機能と、
前記取得した前記第１の特定情報及び前記第２の特定情報に基づき、前記撮像している画像形成装置が前記検索対象であるか否かを判断する対象判断機能と、
前記対象判断機能による判断の結果を前記撮像している画像形成装置と共に画面上に表示する表示処理機能と、
をコンピューターに実現させることを特徴とする機器管理プログラム。
【発明の詳細な説明】
【技術分野】
【０００１】
本発明は、デジタル複合機等の画像形成装置を管理するための携帯端末、機器管理システム、及び機器管理プログラムに関する。
【背景技術】
【０００２】
近年では、画像形成装置をＬＡＮ等のネットワークに接続して複数のユーザーに共有されることがある。
【０００３】
こうしたネットワーク内の画像形成装置を管理する技術としては、例えば特許文献１のように、ＡＲ（Augmented Reality）を利用し、携帯端末上で撮像している画像形成装置に対してステータス情報を表示する機器管理システムがある。
【０００４】
特許文献１の機器管理システムは、携帯端末で設置されている画像形成装置を撮像し、撮像している画像形成装置と共に「待機中」や「印刷中」といったステータス情報を携帯端末の画面上に表示するものである。
【０００５】
従って、ユーザーは、携帯端末で撮像している画像形成装置に対して、表示されたステータス情報を確認することで使用可能か否かを認識し、印刷ジョブの実行指示（印刷実行指示）を円滑に行うことができる。
【０００６】
また、特許文献１の機器管理システムでは、画像形成装置のステータス情報を確認しながら印刷ジョブの実行指示を行うことで、印刷ジョブ（印刷）を実行した出力先の画像形成装置の設置場所を認識して印刷物を取りに行くことも容易である。
【０００７】
しかし、特許文献１の機器管理システムでは、印刷ジョブを実行指示する際に出力先の画像形成装置の設置場所を認識できるに留まり、印刷ジョブを既に実行した出力先の画像形成装置の設置場所を後から検索することはできなかった。
【先行技術文献】
【特許文献】
【０００８】
【特許文献１】特開２０１２−０２９１６４号公報
【発明の概要】
【発明が解決しようとする課題】
【０００９】
本発明が解決しようとする問題点は、設置されている画像形成装置を撮像することによって印刷を実行した出力先の画像形成装置の設置場所を後から検索することができない点である。
【課題を解決するための手段】
【００１０】
本発明は、自装置からネットワークを介して印刷ジョブを実行指示した画像形成装置を検索対象として選択する検索対象選択部と、設置場所に設置されている前記画像形成装置を撮像する撮像部と、前記撮像している画像形成装置を特定するための第１の特定情報、及び前記検索対象の画像形成装置を特定するための第２の特定情報を取得する特定情報取得部と、前記取得した前記第１の特定情報及び前記第２の特定情報に基づき、前記撮像している画像形成装置が前記検索対象であるか否かを判断する対象判断部と、前記対象判断部による判断の結果を前記撮像している画像形成装置と共に画面上に表示する表示処理部とを備えることを携帯端末の最も主な特徴とする。
【発明の効果】
【００１１】
本発明の携帯端末によれば、設置されている画像形成装置を撮像することで、撮像された画像形成装置と共にその画像形成装置が検索対象であるか否かの判断結果を画面上に表示し、印刷を実行した出力先の画像形成装置の設置場所を後から検索することが可能となる。
【図面の簡単な説明】
【００１２】
【図１】本発明の一実施例に係る機器管理システムを示す概念図である。
【図２】図１の機器管理システムのブロック図である。
【図３】図２の機器管理システムによる機器管理処理を示すフローチャートである。
【図４】図３の機器検索結果の表示処理の詳細を示すフローチャートである。
【図５】検索対象の画像形成装置が撮像可能範囲内にある場合の検索結果の表示画面例。
【図６】検索対象の画像形成装置が撮像可能範囲内にある場合の検索結果の表示画面例である。
【発明を実施するための形態】
【００１３】
設置されている画像形成装置を撮像することにより印刷を実行した出力先の画像形成装置を後から検索するという目的を、撮像している画像形成装置と検索対象の画像形成装置との特定情報に基づいて、撮像している画像形成装置が検索対象であるか否かを判断し、その判断結果を撮像している画像形成装置と共に画面上に表示する携帯端末により実現した。
【００１４】
具体的には、携帯端末の位置情報及び方向情報に基づく撮像している画像形成装置の位置情報を取得し、検索対象の画像形成装置のネットワーク上の装置識別情報に関連付けられている位置情報を取得し、取得した位置情報から撮像している画像形成装置が検索対象であるか否かを判断する。
【００１５】
以下、本発明の一実施例について図面を参照して説明する。
［機器管理システムの構成］
図１は、本発明の一実施例に係る機器管理システムを示す概念図、図２は、図１の機器管理システムのブロック図である。
【００１６】
機器管理システム１は、図１及び図２のように、携帯端末３と、画像形成装置５と、サーバー７とを備え、これらがＬＡＮ等のネットワークを介して通信可能に接続されている。
【００１７】
携帯端末３は、例えば多機能携帯電話等の携帯型情報処理端末であり、通信部３１と、撮像機構３２と、操作表示部３３と、位置方向検出部３４と、制御部３５と、記憶部３６とを備えている。
【００１８】
通信部３１は、画像形成装置５及びサーバー７を含む外部装置との間で、通信によるデータの送受信を行うインターフェイスである。
【００１９】
撮像機構３２は、例えばＣＣＤ（Charge Coupled Devices）カメラやＣＭＯＳ（Complementary Metal Oxide Semiconductor）カメラ等で構成され、設置場所に設置されている画像形成装置５を撮像可能とする。
【００２０】
操作表示部３３は、例えばタッチパネル式の画面等を備え、携帯端末３に対する操作入力の受け付けや操作状況を表示する。
【００２１】
位置方向検出部３４は、携帯端末３の位置（座標）及び方向を検出する。携帯端末３の座標は、ＧＰＳ（Global Positioning System）等を利用して検出することができ、方向は、ジャイロセンサー及び加速度センサーを組み合わせた自立測位技術等を利用して検出することができる。
【００２２】
制御部３５は、プログラムを実行して上記各部を制御するＣＰＵ（Central Processing Unit）等の演算装置を有する。
【００２３】
記憶部３６は、各種のプログラムを記憶するＲＯＭ（Read Only Memory）、作業領域としてのＲＡＭ（Random Access Memory）、補助記憶装置としてのＨＤＤ（Hard Disk Drive）等を有する。
【００２４】
本実施例の携帯端末３は、制御部３５が記憶部３６内のプログラムを実行することで、印刷実行指示部３５０、印刷履歴管理部３５１、検索対象選択部３５２、撮像部３５３、特定情報取得部３５４、対象判断部３５５、表示処理部２５６、設置先情報取得部３５７、装置情報取得部３５８として動作する。
【００２５】
印刷実行指示部３５０は、印刷実行指示機能を実現し、表示操作部３３上でのユーザーの操作入力に応じて、画像形成装置５に対する印刷ジョブを生成して実行指示（印刷実行指示）を可能とする。
【００２６】
印刷履歴管理部３５１は、印刷履歴管理機能を実現し、自端末から実行指示した印刷ジョブの履歴を管理する。印刷ジョブの履歴の管理としては、印刷ジョブを実行指示した画像形成装置５のネットワーク上の装置識別情報であるＩＰアドレスにジョブＩＤ（ジョブ名やジョブ実施時間等）等の情報を関連付けて記憶しておく。例えば、記憶部３６内に印刷履歴管理テーブル等を設けて印刷ジョブ履歴を管理すればよい。
【００２７】
検索対象選択部３５２は、検索対象選択機能を実現し、表示操作部３３上で印刷履歴管理部３５１が管理する印刷ジョブ履歴から任意の印刷ジョブを検索対象としてユーザーに選択させる。これにより、検索対象選択部３５２が印刷ジョブの実行指示先、つまり印刷の実行先（出力先）である検索対象の画像形成装置５を選択することになる。
【００２８】
撮像部３５３は、撮像機能を実現し、撮像機構３２による画像形成装置５の撮像を行う。
【００２９】
特定情報取得部３５４は、特定情報取得機能を実現し、撮像部３５３で撮像している画像形成装置５を特定するための第１の特定情報及び検索対象選択部３５２により検索対象として選択された画像形成装置５を特定する第２の特定情報を取得する。
【００３０】
具体的には、特定情報取得部３５４が、第１の特定情報として自端末の位置情報及び方向情報に基づいて撮像している画像形成装置５の位置情報を取得し、第２の特定情報として検索対象の画像形成装置５のネットワーク上のＩＰアドレスに関連付けられている位置情報を取得する。
【００３１】
携帯端末３の位置情報及び方向情報は、位置方向検出部３４から取得され、撮像されている画像形成装置５、及び検索対象の画像形成装置５の位置情報は、ＩＰアドレスや性能情報とともに機器基本情報としてサーバー７から取得される。ただし、検索対象の画像形成装置５のＩＰアドレスは、記憶部３６から取得される。
【００３２】
撮像されている画像形成装置５の位置情報及びＩＰアドレスの取得の際は、特定情報取得部３５４が携帯端末３の位置情報及び方向情報をサーバー７に送信し、これに応じて携帯端末３の周囲に設置されている画像形成装置５の位置情報及びＩＰアドレスを受信する。取得した画像形成装置５の位置情報及びＩＰアドレス及び携帯端末３の位置情報及び方向情報からは、撮像している画像形成装置５を特定することができる。
【００３３】
検索対象の画像形成装置５の位置情報を取得する際は、ＩＰアドレスを記憶部３６から取得してサーバー７に送信し、これに応じて検索対象の画像形成装置５のＩＰアドレスに関連付けられている位置情報を受信する。
【００３４】
対象判断部３５５は、特定情報取得部３５４が取得した第１の特定情報及び第２の特定情報としての位置情報に基づき、撮像している画像形成装置５が検索対象であるか否かを判断する。
【００３５】
具体的には、撮像している画像形成装置５の位置情報と検索対象の画像形成装置５の位置情報とが一致するか否かを対象判断部３５５が判断する。
【００３６】
また、対象判断部３５５は、検索対象の画像形成装置５が撮像部３５３の撮像可能範囲内にあるかを判断する。撮像可能範囲は、任意に設定することができ、撮像機構３２の性能に基づく撮像が可能な範囲の他、携帯端末３を所持するユーザーが移動等を通じて撮像を行うことができる範囲等とすればよい。
【００３７】
表示処理部３５６は、表示処理機能を実現し、対象判断部３５５による判断結果を撮像している画像形成装置５と共に操作表示部３３の画面上に表示する。
【００３８】
具体的には、撮像している画像形成装置５毎に検索対象であるか否かを画面上に表示する。また、検索対象の画像形成装置５が撮像可能範囲内にない場合は、撮像可能範囲内に検索対象の画像形成装置が存在しないことを示す不存在情報を画面上に表示する。
【００３９】
さらに、表示処理部３５６は、後述する設置先情報取得部３５７、及び装置情報取得部３５８によりそれぞれ取得される画像形成装置５の設置先情報、及びステータス情報を画面上に表示可能とする。
【００４０】
ステータス情報は、画像形成装置５の状態に応じて変化する情報であり、本実施例では、画像形成装置５の排紙トレー上の印刷物の有無を示す排紙情報や、携帯端末３からの印刷ジョブに対する時系列の前後の印刷ジョブを実行指示したユーザーを示す前後ユーザー情報等である。
【００４１】
設置先情報取得部３５７は、設置先情報取得機能を実現し、検索対象の画像形成装置５が撮像可能範囲内にない場合に、検索対象の画像形成装置５の設置先情報を取得する。設置先情報は、例えば、検索対象の画像形成装置５の設置されているフロアや事業所等を示す情報である。
【００４２】
本実施例の設置先情報は、機器基本情報の位置情報として特定情報取得部３５４によりサーバー７から取得され、設置先情報取得部３５７は、検索対象の画像形成装置５が撮像可能範囲内にない場合に特定情報取得部３５４から設置先情報を取得する。
【００４３】
装置情報取得部３５８は、装置情報取得機能を実現し、画像形成装置５から直接情報を取得するものである。本実施例の装置情報取得部３５８は、撮像している画像形成装置５が検索対象である場合に、ネットワーク上のＩＰアドレスに基づいて検索対象の画像形成装置５からステータス情報を取得する。
【００４４】
画像形成装置５は、例えばプリンター、コピー機、それらの複合機等であり、通信部５１、操作パネル部５２、印刷部５４、排紙センサー５５、制御部５６、記憶部５７等を備えている。
【００４５】
通信部３５は、携帯端末３を含む外部装置との間で通信によるデータの送受信を行うインターフェイスである。
【００４６】
操作パネル部５２は、例えばキーボードやタッチパネル式の画面等を備え、画像形成装置５に対する操作入力や操作状況の表示等を行う。
【００４７】
印刷部５４は、通信部５１を介して入力された印刷ジョブに基づいて、用紙上に画像を形成して印刷するプリントエンジンである。
【００４８】
排紙センサー５５は、印刷後に排紙トレーへと排出された印刷物（用紙）を検出するセンサーである。
【００４９】
制御部５６は、ＣＰＵ等備える演算装置等を有し、記憶部５７は、ＲＯＭ、ＲＡＭ、ＨＤＤ等を有する。
【００５０】
本実施例の画像形成装置５は、制御部５６が記憶部５７内のプログラムを実行することで、情報送信部５６１として動作する。
【００５１】
情報送信部５６１は、情報送信機能を実現し、携帯端末３の装置情報取得部３５８からの取得要求に応じて、画像形成装置５の排紙センサー５５による検出結果及び前後ユーザー情報をステータス情報として携帯端末３に送信して取得させる。なお、前後ユーザー情報は、例えば、記憶部５７に記憶している印刷ジョブの実行履歴から読み出すことができる。
【００５２】
サーバー７は、例えば情報処理装置によって構成され、通信部７１、制御部７２、及び記憶部７３を備える。通信部７１は、携帯端末３を含む外部装置との間で通信によるデータの送受信を行うインターフェイスである。制御部７２は、各部を制御するＣＰＵ等の演算装置を有し、記憶部７３は、ＲＯＭ、ＲＡＭ、ＨＤＤ等を有する。
【００５３】
本実施例のサーバー７は、画像形成装置５の機器基本情報を記憶部７３内に記憶し、その機器基本情報を携帯端末３に送信する。このために、制御部７２は、記憶部７３内のプログラムを実行することで、機器情報送信部７２１として動作する。
【００５４】
機器情報送信部７２１は、装置情報送信機能を実現し、携帯端末３の特定情報取得部３５４から携帯端末３の位置情報及び方向情報を受信すると、携帯端末３の周囲に存在する画像形成装置５を特定し、特定された画像形成装置５の位置情報、ＩＰアドレス、及び性能情報等を機器基本情報として特定情報取得部３５４に送信して取得させる。
【００５５】
また、機器情報送信部７２１は、携帯端末３の特定情報取得部３５４から検索対象の画像形成装置５のＩＰアドレスを受信すると、受信したＩＰアドレスに関連付けられている検索対象の画像形成装置５の位置情報及び性能情報等を機器基本情報として特定情報取得部３５４に送信して取得させる。なお、上述した機器基本情報では、位置情報、ＩＰアドレス、及び性能情報等が関連付けられている。
［機器管理処理］
図３は、図２の機器管理システムによる機器管理処理を示すフローチャートである。この機器管理処理は、携帯端末３で画像形成装置５を検索するための機器管理プログラムを実行することで開始される。
【００５６】
図３の機器管理処理では、まずステップＳ１において、「検索対象の画像形成装置の選択」が行われる。ステップＳ１では、操作表示部３３上で印刷履歴管理部３５１が管理する印刷ジョブ履歴から印刷ジョブの選択を検索対象選択部３５２が受け付ける。この受付は、選択用の画面を表示することで実現できる。
【００５７】
ユーザーが何れかの印刷ジョブを選択すると、検索対象選択部３５２が選択された印刷ジョブに対応した出力先の画像形成装置５を検索対象として選択する。こうしてステップＳ１が完了するとステップＳ２に移行する。
【００５８】
ステップＳ２では、「画像形成装置の撮像」が行われる。すなわち、携帯端末３を保持するユーザーは、携帯端末３の撮像機構３２の撮像範囲内に、設置場所に設置されている画像形成装置５を位置させる。これにより、携帯端末３の撮像部３５３は、撮像機構３２により画像形成装置５を撮像する。こうしてステップＳ２が完了して、ステップＳ３へ移行する。
【００５９】
ステップＳ３では、「携帯端末の位置及び方向情報の取得」が行われる。ステップＳ３では、携帯端末３の特定情報取得部３５４が、位置方向検出部３４から携帯端末３の位置情報及び方向情報を取得する。こうしてステップＳ３が完了してステップＳ４へ移行する。
【００６０】
ステップＳ４では、「撮像している画像形成装置の機器基本情報の取得」が行われる。ステップＳ４では、まず携帯端末３の特定情報取得部３５４がサーバー７との接続を確立する。次いで、特定情報取得部３５４は、自端末の位置情報及び方向情報をサーバー７に送信する。
【００６１】
サーバー７では、機器情報送信部７２１が、受信した携帯端末３の位置情報及び方向情報から周囲の画像形成装置５を特定し、特定した画像形成装置５の機器基本情報（位置情報、ＩＰアドレス、機器性能情報等）を記憶部７３から読み出し、携帯端末３に送信して取得させる。
【００６２】
こうしてステップＳ４が完了してステップＳ５へ移行する。
【００６３】
ステップＳ５では、「検索対象の画像形成装置の機器基本情報の取得」が行われる。ステップＳ５では、ステップＳ４で確立した携帯端末３の特定情報取得部３５４とサーバー７との接続を維持する。この状態で、特定情報取得部３５４はステップＳ２で印刷ジョブ履歴から選択された検索対象の画像形成装置５のＩＰアドレスをサーバー７に送信する。
【００６４】
サーバー７では、機器情報送信部７２１が、受信した検索対象の画像形成装置５のＩＰアドレスを認識し、ＩＰアドレスに対応付けて記憶部７３に記憶されている機器基本情報を読み出し、読み出した検索対象の画像形成装置５の機器基本情報（位置情報、機器性能情報等）を携帯端末３に送信して取得させる。
【００６５】
こうしてステップＳ５が完了してステップＳ６へ移行する。
【００６６】
ステップＳ６では、「機器検索結果の表示」が行われる。ステップＳ６では、携帯端末３の表示処理部３５６が、撮像している画像形成装置５の位置情報及び検索対象の画像形成装置５の位置情報に基づき、撮像している画像形成装置５が検索対象であるか否かの判断結果を操作表示部３３の画面上に表示する。
【００６７】
図４は、図３のステップＳ６の機器検索結果の表示処理の詳細を示すフローチャートである。
【００６８】
この表示処理では、まずステップＳ１１において「検索対象の画像形成装置が撮像可能範囲内？」が行われる。ステップＳ１１では、携帯端末３の対象判断部３５５が、ステップＳ３で取得した自端末の位置情報とステップＳ５で取得した検索対象の画像形成装置５の位置情報とに基づき、検索対象の画像形成装置５が撮像可能範囲内であるか否かを判断する。例えば、携帯端末３と検索対象の画像形成装置５との距離を特定したうえで、特定された距離が撮像可能範囲内か否かを判断する。
【００６９】
検索対象の画像形成装置５が撮像可能範囲内にある場合は、ステップＳ１２に移行し（ＹＥＳ）、撮像可能範囲内にない場合は、ステップＳ１８に移行する（ＮＯ）。なお、ステップＳ１１の処理は、省略することやステップＳ１２の後に行うことも可能である。
【００７０】
ステップＳ１２では、「撮像している画像形成装置が検索対象？」が行われる。ステップＳ１２では、対象判断部３５５が、ステップＳ４で取得した撮像している画像形成装置５の位置情報と、ステップＳ５で取得した検索対象の画像形成装置５の位置情報とから、撮像している画像形成装置５が検索対象の画像形成装置５であるか否かを判断する。
【００７１】
具体的には、撮像している画像形成装置５の位置情報と検索対象の画像形成装置５の位置情報とが一致するか否かに応じて、撮像している画像形成装置５が検索対象であるか否かを判断する。
【００７２】
撮像している画像形成装置５が検索対象の画像形成装置５ではない場合は、ステップＳ１３に移行し（ＮＯ）、撮像している画像形成装置５が検索対象である場合は、ステップＳ１４に移行する（ＹＥＳ）。
【００７３】
ステップＳ１３では、「撮像している画像形成装置が検索対象ではない旨の表示」が行われる。ステップＳ１３では、表示処理部３５６が、撮像している画像形成装置５と共に検索対象ではない旨を操作表示部３３の画面上に表示する。こうしてステップＳ１３が完了するとステップＳ１２に戻る。
【００７４】
ステップＳ１３からステップＳ１２に戻った後は、ユーザーが撮像可能範囲内にある別の画像形成装置５を撮像することで、再度、ステップＳ１２の処理が行われることになる。
【００７５】
ステップＳ１４では、「ステータス情報の取得」が行われる。ステップＳ１４では、携帯端末３の装置情報取得部３５８が、撮像されている出力先の画像形成装置５に接続を確立してステータス情報の送信を要求する。出力先の画像形成装置５では、情報送信部５６１が、受信した要求に応じて自装置のステータス情報を携帯端末３に送信して取得させる。
【００７６】
なお、ステータス情報は、上述のように、画像形成装置５の排紙トレー上の印刷物の有無を示す排紙情報、ステップＳ１において検索対象として選択された印刷ジョブに対する時系列前後の印刷ジョブを実行指示したユーザーの前後ユーザー情報等である。
【００７７】
こうしてステップＳ１４が完了してステップＳ１５に移行する。
【００７８】
ステップＳ１５では、「用紙あり？」が行われる。ステップＳ１５では、表示処理部３５６が、ステップＳ１４で取得したステータス情報中の排紙情報に基づいて、出力先の画像形成装置５の排紙トレーに印刷物である用紙の有無を判断する。
【００７９】
出力先の画像形成装置５の排紙トレーに用紙がある場合は、ステップＳ１６へ移行し（ＹＥＳ）、用紙がない場合は、ステップＳ１７に移行する（ＮＯ）。
【００８０】
ステップＳ１６では、「撮像している画像形成装置が検索対象である旨の表示」が行われる。ステップＳ１６では、表示処理部３５６が、検索対象であると判断された撮像中の画像形成装置５と共に検索対象である旨を操作表示部３３の画面上に表示する。
【００８１】
一方、ステップＳ１７では、「排紙情報の表示及び前後ユーザー情報の表示可能化」を行う。ステップＳ１７では、表示処理部３５６が、出力先の画像形成装置５の排紙トレー上の用紙がない旨の排紙情報と前後ユーザー情報を表示可能とする表示可能化情報とをステップＳ１６の検索対象である旨と共に画面上に表示する。
【００８２】
図５に、検索対象の画像形成装置が撮像可能範囲内にある場合の検索結果の表示画面例を示す。図５の例では、撮像されている画像形成装置５が検索対象である旨の検索結果情報Ｋ１と共に排紙情報Ｓ及び表示可能化情報Ｄ１が表示されている。
【００８３】
図５の例においては、検索結果情報Ｋ１として、「ＸＸＸ」のＩＰアドレスＡ、「ＹＹＹ」のジョブを印刷した機器である旨（検索対象である旨）が表示されている。排紙情報Ｓとしては、画像形成装置５の排紙トレーに印刷物（用紙）が存在しない旨の「用紙は存在しません。」が表示され、表示可能化情報Ｄ１としては、前後に印刷したユーザーを検索するか否かを問い合わせるための「前後に、印刷したユーザーを検索しますか？」が表示されている。
【００８４】
表示可能化情報Ｄ１が操作されることによって前後に印刷したユーザーを検索して画面上に表示させることができる。
【００８５】
こうして、ステップＳ１６又はＳ１７の処理が完了すると、検索対象が撮像可能範囲内にある場合の機器管理処理が終了する。
【００８６】
一方、ステップＳ１１において検索対象の画像形成装置が撮像可能範囲内にない場合は、上述のようにステップＳ１８に移行する。
【００８７】
ステップＳ１８では、「不存在情報の表示」が行われる。ステップＳ１８では、表示処理部３５６が、撮像部３５３の撮像可能範囲内に検索対象の画像形成装置５が存在しないことを示す不存在情報を操作表示部３３の画面上に表示する。
【００８８】
図６に、検索対象の画像形成装置が撮像可能範囲内にある場合の検索結果の表示画面例を示す。図６の例では、撮像されている二つの画像形成装置５と共に不存在情報Ｎ並びに出力先の画像形成装置５の設置場所情報を表示可能とする表示可能化情報Ｄ２が表示されている。
【００８９】
図６の例では、不存在情報Ｎとして「！近くに印刷した機器はありません。」が表示され、表示可能化情報Ｄ２として「出力先の詳細を見ますか？」が表示されている。
【００９０】
なお、図６の例では、撮像した各画像形成装置５と共にＩＰアドレスＡと機器性能情報Ｆが表示されている。機器性能情報Ｆは、一次的に「機器情報詳細」としてのみ表示され、それを選択することで二次的に詳細な内容が表示される。ここで表示される機器性能情報は、図３のステップＳ５において特定情報取得部３５４により取得されたものである。
【００９１】
図６の表示可能化情報Ｄ２である「出力先の詳細を見ますか？」は、ユーザーに選択されることで設置先情報取得部３５７が取得している設置先情報を画面上に表示可能とする。設置先情報としては、例えば、「出力先は事業所Ｂに移動しています。」等の内容を表示する。こうしてステップＳ１８が完了することにより、検索対象が撮像可能範囲内にない場合の機器管理処理が終了する。
［実施例の効果］
本実施例の携帯端末３は、自装置からネットワークを介して印刷ジョブを実行指示した画像形成装置５を検索対象として選択する検索対象選択部３５２と、設置場所に設置されている画像形成装置５を撮像する撮像部３５３と、撮像している画像形成装置５を特定するための第１の特定情報、及び検索対象の画像形成装置５を特定するための第２の特定情報をサーバー７から取得する特定情報取得部３５４と、取得した第１の特定情報及び第２の特定情報に基づき、撮像している画像形成装置５が検索対象であるか否かを判断する対象判断部３５５と、判断結果を撮像している画像形成装置５と共に画面上に表示する表示処理部３５６とを備える。
【００９２】
従って、本実施例では、設置されている画像形成装置５を撮像することで、撮像された画像形成装置５と共に画像形成装置５が検索対象であるか否かの判断結果を画面上に表示し、印刷を実行した出力先の画像形成装置５の設置場所を撮像画面上で後から検索し確認することが可能となる。
【００９３】
結果として、本実施例では、検索された出力先の画像形成装置５までユーザーが迅速に印刷物を取りに行くことができ、情報漏洩の防止を図ることができる。
【００９４】
しかも、本実施例では、撮像画像から出力先の画像形成装置５を直感的且つ容易に探し出すことができる。
【００９５】
また、本実施例では、特定情報取得部３５４が、第１の特定情報として自端末の位置情報及び方向情報に基づく撮像している画像形成装置５の位置情報を取得し、第２の特定情報として検索対象の画像形成装置５のネットワーク上のＩＰアドレスに対応する位置情報を取得し、対象判断部３５５が、取得した画像形成装置５の位置情報から検索対象か否かの判断を行う。
【００９６】
従って、本実施例では、印刷ジョブ履歴中に記憶された出力先の画像形成装置５のＩＰアドレスをキーに出力先の画像形成装置５の設置場所を容易且つ確実に検索することができる。
【００９７】
また、本実施例では、対象判断部３５５が、取得した位置情報から検索対象の画像形成装置５が撮像部３５３の撮像可能範囲内にあるかを判断し、表示処理部３５６が、検索対象の画像形成装置５が撮像可能範囲内にない場合、撮像可能範囲内に検索対象の画像形成装置５が存在しないことを示す不存在情報を画面上に表示する。
【００９８】
従って、検索対象の画像形成装置５が撮像可能範囲内にない場合は、周辺の画像形成装置５を撮像しても検索対象が存在しないので、不存在情報を画面上に表示することでユーザーに検索のための無駄な画像形成装置５の撮像を止めさせることができる。
【００９９】
また、本実施例では、検索対象の画像形成装置５の設置先情報を取得する設置先情報取得部３５７を備え、表示処理部３５６が、取得した設置先情報を画面上に表示可能とする。
【０１００】
従って、本実施例では、撮像可能範囲外である出力先の画像形成装置５の設置先を確認することができる。結果として、本実施例では、確認した設置先に対して印刷物の処分等を依頼することができ、確実に情報漏洩の防止等を図ることができる。
【０１０１】
また、本実施例では、撮像している画像形成装置５が検索対象である場合に、ネットワーク上のＩＰアドレスに基づいて検索対象の画像形成装置５から排紙トレー上の印刷物（用紙）の有無を示す排紙情報を取得する装置情報取得部３５８を備え、表示処理部３５６が排紙情報を画面上に表示可能とする。
【０１０２】
従って、本実施例では、出力先の画像形成装置５に印刷物がない場合に、前後ユーザー情報を画面上に表示させて前後に印刷を行ったユーザーを確認することができる。このため、ユーザーは、自身の印刷物を前後に印刷を行ったユーザーが取得しているような場合でも、自身の印刷物を回収等して情報漏洩の防止を図ることができる。
【符号の説明】
【０１０３】
１  機器管理システム
３  携帯端末（携帯端末）
５  画像形成装置（画像形成装置）
７  サーバー
３５２  検索対象選択部
３５３  撮像部
３５４  特定情報取得部
３５５  対象判断部
３５６  表示処理部
３５７  設置情報取得部
３５８  装置情報取得部
【図１】
0006023032.tif 000002
【図２】
0006023032.tif 000003
【図３】
0006023032.tif 000004
【図４】
0006023032.tif 000005
【図５】
0006023032.tif 000006
【図６】
0006023032.tif 000007